(57)【要約】【課題】外バリアと内バリアの間の空間部に結露が生じ、外バリア１の内側にくもり１ａが発生してしまうことを防止する。【解決手段】内部の空間部を隔てて対向する外側ガラス２１（外バリア）と内側ガラス２８（内バリア）及び、外側ガラス２１と内側ガラス２８とを上下から支え、外気と空間部とを連通させる切欠き部がそれぞれ設けられる上側扉枠２５および下側扉枠２５を備えた扉２９を有する加熱調理器において、下側扉枠２５に設けられた前記切欠き部の内側かつ前記空間部に近い側に、外側ガラス２１の厚さよりも高い防水堤を設けた。【選択図】図２
2010078308.tif 000002
【特許請求の範囲】
【請求項１】
内部の空間部を隔てて対向する外バリアと内バリア及び、前記外バリアと前記内バリアとを上下から支え、外気と前記空間部とを連通させる切欠き部がそれぞれ設けられる上側扉枠および下側扉枠を備えた扉を有する加熱調理器において、
前記下側扉枠に設けられた前記切欠き部の内側かつ前記空間部に近い側に、前記外バリアの厚さよりも高い防水堤を設けたことを特徴とする加熱調理器。
【請求項２】
空間部の内部に、文字、図形または画像を表示する表示部と、前記表示部を制御する制御部とを備えたことを特徴とする請求項１に記載の加熱調理器。
【請求項３】
外側ガラス下部背面と概略ロ字形状の飾り枠の下辺部の前面上部との間に数箇所設けられた第１の間隙と、前記飾り枠の下辺部の背面上部とその後ろ側に位置する扉枠との間に数箇所設けられた第２の間隙とを特徴とする請求項１または２に記載の加熱調理器。
【発明の詳細な説明】
【技術分野】
【０００１】
本発明は、被加熱物を加熱調理する加熱調理器の扉構造に関するものである。
【背景技術】
【０００２】
従来の加熱調理器に用いられる縦開き式の扉構造の一例を、図９および図１０に示す。図９は、従来の加熱調理器における前面の扉及び加熱室の前部の断面図、図１０は、従来の加熱調理器の前面の扉の断面図である。
【０００３】
同図において、加熱調理器本体の前面の開口部には、加熱する食品１１を加熱室１０内に入れられるよう、扉１３が開閉自在に設けられている。扉１３は、外バリア１と内バリア８と扉枠５とにより形作られ、その内部に空間部が設けられている。
【０００４】
また、扉１３には、外バリア１と嵌合する飾り枠４と、外バリア１を飾り枠４に固定する取っ手枠３と、取っ手枠３に設けられた取っ手２と、内バリア８をシリコンパテなどで固定するドアシールド９と、飾り枠４と扉枠５で挟み込み固定した表示部６と、飾り枠４に取り付けた制御ボタン７とが設けられている。
【０００５】
上記従来の加熱調理器の扉１３においては、外バリア１を飾り枠４に固定するため、シリコンパテが外バリア１の全周に塗布される。そして、このシリコンパテに通気用の切欠き部を設け、空気が抜けるようにしており、扉１３の上側部分では防水壁を構成した切欠き部となっている。しかし、扉１３の下側部分では、外バリア１を嵌合させる飾り枠４側に水の浸入を防ぐ手段がないため、通気用の切欠き部が設けられていない。
【０００６】
なお、扉１３の下側部分にも切欠き部が設けられた例としては、例えば特許文献１に記載されるものがある。
【先行技術文献】
【特許文献】
【０００７】
【特許文献１】実開昭５８−２０８０６号公報
【発明の概要】
【発明が解決しようとする課題】
【０００８】
図９、図１０に示される従来の加熱調理器の扉構造の場合、扉１３の下側部分通気用の切欠き部が設けられていないため、扉１３内部の湿った空気１２が、加熱室１０からの熱により暖められ、表示部６近辺の空間部の空気と外気とに温度差が生じる。その結果、温度が低い部分に結露が生じ、外バリア１の内側にくもり１ａが発生してしまうことがあった。
【０００９】
特許文献１のように、下側部分にも切欠き部を設ければ、通気性がよくなり、扉１３内部の空間部にくもりは防止することができるが、前面から水が掛かけられるなどした場合の防水対策のため、どうしても、扉１３の下側部分には通気用の切欠き部を設けることがしにくくかった。
【００１０】
この結露によるくもり１ａは、使用者が拭き取ることができないため、従来は、用いる可能性の低い防水対策よりも、くもり１ａの防止を優先させ、外バリア１の固定用パテの塗布位置に切欠き部を設け、くもり１ａが発生しないようにしていた。制御ボタン７の前面にも防水シート７ａを貼る必要があるなど防水対策を施す必要があった。
【００１１】
また、飾り枠４の下側部分にパテに切欠き部を設けるため、外バリア１が飾り枠４の下側の端面から浮き上がる現象も起こりやすくなり、製品の品位が低下するといった問題もあった。
【００１２】
さらに、シリコンパテの塗布具合により切欠き部分を設けるため、外気の通気する切欠き部の寸法が一定せず、くもり１ａが発生する場合としない場合とが生じるという生産性の課題も残されていた。
【課題を解決するための手段】
【００１３】
本発明は上記課題を解決するためになされたものであり、内部の空間部を隔てて対向する外バリアと内バリア及び、前記外バリアと前記内バリアとを上下から支え、外気と前記空間部とを連通させる切欠き部がそれぞれ設けられる上側扉枠および下側扉枠を備えた扉を有する加熱調理器において、前記下側扉枠に設けられた前記切欠き部の内側かつ前記空間部に近い側に、前記外バリアの厚さよりも高い防水堤を設けたものである。
【発明の効果】
【００１４】
本発明の加熱調理器の扉構造によれば、くもり防止性能を向上させることができるとともに、扉枠の一部を連結ボタンとして使うことで部材を増やさずに、制御ボタンの通気部分の防水性能が高められ、コストダウンも図れる。
【図面の簡単な説明】
【００１５】
【図１】本発明の実施の形態１における加熱調理器の扉の正面図
【図２】本発明の実施の形態１における加熱調理器の扉の断面図
【図３】図２に示す扉の上部拡大断面図
【図４】図２に示す扉の下部拡大断面図
【図５】図４に示す扉の要部拡大断面図
【図６】本発明の実施の形態２における加熱調理器の扉の下部断面図
【図７】図６に示す扉の平面断面図
【図８】加熱調理器の扉の下部水平断面図
【図９】従来の加熱調理器の断面図
【図１０】従来の加熱調理器における扉の断面図
【発明を実施するための形態】
【００１６】
第１の発明は、内部の空間部を隔てて対向する外側ガラス（外バリア）と内側ガラス（内バリア）及び、前記外側ガラス（外バリア）と前記内側ガラス（内バリア）とを上下から支え、外気と前記空間部とを連通させる切欠き部がそれぞれ設けられる上側扉枠および下側扉枠を備えた扉を有する加熱調理器において、前記下側扉枠に設けられた前記切欠き部の内側かつ前記空間部に近い側に、前記外バリアの厚さよりも高い防水堤を設けたものである。
【００１７】
これにより、扉の外部から水が掛かっても、その浸入を許すことなく空気を下から上に循環させることでくもり止め性能を確保しつつ、安定した物作りを可能とする。また、扉枠の一部を連結ボタンとして使うことで部材を増やさずに、制御ボタンの通気部分の防水性能が高められ、コストダウンも図れる。
【００１８】
第２の発明は、第１の発明において、前記空間部の内部に、文字、図形または画像を表示する表示部と、前記表示部を制御する制御部とを備えたものである。これにより、扉内部のくもりを防止し、扉内部に設けられた表示部が見にくくなることを防止する。
【００１９】
第３の発明は、第１または第２の発明において、外側ガラス下部背面と概略ロ字形状の飾り枠の下辺部の前面上部との間に数箇所設けられた第１の間隙と、前記飾り枠の下辺部の背面上部とその後ろ側に位置する扉枠との間に数箇所設けられた第２の間隙とを設けることにより、外側ガラスの背面や表示部周辺の湿った空気を、扉上部に設けた排気口から、排出できる。したがって、表示部の前面の外側ガラスや表示部の液晶パネルがくもってしまい、表示が見えにくくなり、しかも、加熱調理器使用者がくもりを拭き取ることができない、という問題の発生を防止できるとともに、表示部が取り付けられた制御基板を冷却し、温度上昇に対する信頼性を向上できる。
【００２０】
以下、本発明の実施の形態について、図面を参照しながら説明する。なお、本実施の形態において、上記従来の加熱調理器と同様の部分には同一の符号を付し、詳細な説明を省略する。
【００２１】
（実施の形態１）
図１は本発明の実施の形態１による加熱調理器の扉の正面図、図２は同扉の断面図、図３は図２の上部拡大断面図、図４は図２の下部拡大断面図である。
【００２２】
同図において、扉２９は、加熱室１０の前面の開口部に、縦方向に開閉自在に設けられている。扉枠２５は、扉２９の骨格を構成する枠組みであり、ロ字形状に樹脂材料で成型され、扉２９の制御部品等の部品が取り付けられている。飾り枠２４は、ロ字形状に成型され、扉２９において扉枠２５の手前側縁部に嵌合し取り付けられている。この飾り枠２４のさらに手前側には、外側ガラス２１（外バリア）が取り付けられている。また、飾り枠２４の上部には、取っ手枠２３を介して、取っ手２２が固定されている。
【００２３】
扉枠２５の加熱室１０側には、金属製の電波シールドが取り付けられている。内側ガラス２８（内バリア）は、加熱室１０に対向するように扉枠２５に取り付けられる。
【００２４】
表示部２６は液晶パネルを有し、飾り枠２４と扉枠２５とで前後から挟み込み固定され、文字、図形または画像を表示する。制御ボタン２７は、飾り枠２４に取り付ける。外側ガラス２１を飾り枠２４に固定するために、外側ガラス２１の下側部を嵌合し外側ガラス２１を支持するため、飾り枠２４のロ字形状における下辺部の上面側に、ポケット形状部２４ｃを設けている。
【００２５】
従来は、扉枠にシリコンパテを塗布し、その上から飾り枠を貼り付けていたが、本発明では、外側ガラス２１の下側部を飾り枠２４のポケット形状部２４ｃに差込み、外側ガラス２１の下部内側と対向する位置の飾り枠２４に、外側ガラス２１との間に隙間０．５〜１．０ｍｍを形成する切欠き部を数箇所並設する。そして、ポケット形状部２４ｃの奥の部分に通気用の隙間を横に長く開け、外側ガラス２１を載せる部分を外側ガラス２１の厚み寸法よりも大きく内側に伸ばす。これにより防水提２４ｂを構成し、たとえ扉２９の外部から水が掛かっても、その浸入を許すことなくできる。
【００２６】
また、制御ボタン２７と飾り枠２４の開口部との隙間を、外気の吸気口２７ａとして利用する。加熱調理時に扉２９内部の湿った空気が熱せられると、扉２９内部を上昇するので（空気３１ｃ）、吸気口２７ａから外気が取り込まれ（空気３１ｂ）、熱せられた空気３１ｃは、排気口２３ｂから外部に排出される（排気３１ａ）。
【００２７】
このように、扉２９内部の湿った空気３１が排出されることで、空気の循環が生じ、外側ガラス２１の内側表面の結露によるくもり現象を防ぐことができる。
【００２８】
さらに、扉２９内部の熱せられた空気が、扉２９外へ排出されることにより、吸気口２
７ａから入った外気（吸気３１ｂ）が扉２９内部の温度を下げるため、表示部２６と表示部２６を取り付けている制御基板２５ｃとの周囲の温度も下げることになり、扉２９内部の表示部２６と制御基板２５ｃとは、加熱調理時に発生する高熱から保護される。
【００２９】
本実施の形態によれば、制御ボタン２７付近の隙間を吸入口として利用するので、外側ガラス２１と飾り枠２４のポケット形状部２４ｃに隙間を特別に設ける必要がなく、寸法のばらつきの少ない隙間を設けることができるので、くもり防止性能が確保される。また、扉２９内部の空気が換気されるため、制御基板２５ｃと表示部６とを高温から保護する効果もある。
【００３０】
以上説明したように、外側ガラス２１の下側部を嵌合し外側ガラス２１を支持するため、飾り枠２４のロ字形状における下辺部の上面側に、ポケット形状部２４ｃを設けることで、安定した隙間を確保することができ、これによりくもり防止性能の確保ができ、安定した性能の扉２９を提供することができる。
【００３１】
次に、図５を用いて、本実施の形態における防水対策について説明する。図５は図４の要部拡大断面図である。
【００３２】
図５に示されるように、本実施の形態では、外側ガラス２１（外バリア）の外側表面に水がかけられた場合でも、取っ手枠２３に設けられた防水堤２３ａにより、排気口２３ｂからの水の浸入を防ぐことができる。
【００３３】
そして、その水が、外バリア２１の表面をつたって落ちてきて、吸気口２３ｂから扉２９内部に浸入することもあるが、その場合でも、吸気口２７ａの上方に設けられた防水堤２４ｂにより、その水が、外側ガラス２１と内側ガラス２８との間の空間部に到達するのを阻止することができる。
【００３４】
浸入した水は、扉２９の下部に設けられた貯水室２４ａに一旦貯まり、飾り枠２４と扉枠２５との接合部の隙間から排水される（排水３２ｃ）。これにより、貯水室２４ａに一旦貯まった水が、扉２９の開閉時に空間部に浸入することを防止できる。
【００３５】
さらに、制御ボタン７の内側に防水シート２５ｂを貼り防水することで、防水シート２５ｂの大きさを最小限に留めることができ、また、扉枠２５の一部を連動ボタン２５ａとすることで部品を減らすことができるため、コスト的にも有利であり、安定したくもり防止性能が確保される。
【００３６】
以上説明したように、本実施の形態によれば、扉２９の内部に表示部２６を設けた構成であっても、安定したくもり防止性能を有する加熱調理器を実現することができる。
【００３７】
（実施の形態２）
図６は、本発明の第２の実施の形態における加熱調理器の扉の下部断面図、図７は、図６の要部拡大図、図８は、加熱調理器の扉の下部水平断面図を示すものである。
【００３８】
同図において、本実施の形態では、制御ボタン２７付近の隙間から吸入した空気を、外側ガラス２１の背面を上昇させるだけではなく、表示部２６前面を舐めるように上方へ流している。
【００３９】
そのために、実施の形態１の構成に加え、飾り枠２４の概略ロ字形状における下辺部の上面に、ポケット形状部２４ｃを横長の溝状に形成している。そして、このポケット形状部２４ｃ内に、外側ガラス２１の下部が挿入され、外側ガラス２１下部を支持している。
また、外側ガラス２１の上部は、取っ手枠２３と扉枠２５とで、横長の溝状に形成されたポケット形状部２３ｃ内に、外側ガラス２１の上部を挿入し、外側ガラス２１上部を支持している。
【００４０】
飾り枠２４の概略ロ字形状における下辺部の一部は、表示部２６と外側ガラス２１との間に、位置している。飾り枠２４の表示部２６に対向する部分には、表示用の開口が設けられ、表示部２６の表示を加熱調理器の使用者が、加熱調理器の正面から、外側ガラス２１を通して見えるようになっている。表示部２６の前面と飾り枠２４の開口周縁との間には、間隙が設けられている。表示部２６は液晶パネルを有し、制御基板上に取り付けられており、文字、図形または画像を表示する。扉枠２５にはボスが突出して形成され、ネジで制御基板を扉枠２５に固定している。
【００４１】
外側ガラス２１下部背面と、飾り枠２４の概略ロ字形状における下辺部の前面上部との間には、奥行き寸法が約０．５〜１．０ｍｍである切欠き部の間隙（第１の間隙）が横長に２箇所設けられている。また、この飾り枠２４の下辺部の背面上部とその後ろ側に位置する扉枠２５との間にも奥行き寸法が約０．５〜１．０ｍｍである切欠き部の間隙（第２の間隙）を横長に２箇所設けている。
【００４２】
これにより、制御ボタン２７付近の隙間から吸入された空気は、ポケット形状部２４ｃの奥の部分の防水堤２４ｂ先端の通気用の隙間を通って上方へ流れる。そして、一方の流れは、外側ガラス２１の背面と飾り枠２４の前面との間隙（第１の間隙）を通って上方へ流れる。もう一方の空気の流れは、飾り枠２４の背面とその後ろ側の扉枠２５との間隙（第２の間隙）を通り、飾り枠２４にガイドされ、表示部２６の液晶パネル前面に沿って、上方に流れる。
【００４３】
この時、空気の流れにより、外側ガラス２１の背面や表示部２６周辺の湿った空気を、扉２９上部に設けた排気口２３ｂから、排出できる。したがって、表示部２６の前面の外側ガラス２１や表示部２６の液晶パネルがくもってしまい、表示が見えにくくなり、しかも、加熱調理器使用者がくもりを拭き取ることができない、という問題の発生を防止できる。
【００４４】
そして、制御基板を冷却し、温度上昇に対する信頼性を向上できる。
【産業上の利用可能性】
【００４５】
本発明は、電子レンジなどの加熱調理器に適応可能である。
【符号の説明】
【００４６】
１０  加熱室
２１  外バリア
２２  取っ手
２３  取っ手枠
２３ａ  防水提
２３ｂ  排気口
２４  飾り枠
２４ａ  貯水室
２４ｂ  防水提
２４ｃ  ポケット形状
２４ｄ  間隙（第１の間隙）
２４ｅ  間隙（第２の間隙）
２５  扉枠
２５ａ  連動ボタン
２５ｂ  防水シート
２５ｃ  制御基板
２６  表示部
２７  制御ボタン
２７ａ  吸気口
２８  内バリア
２９  扉
【図１】
2010078308.tif 000003
【図２】
2010078308.tif 000004
【図３】
2010078308.tif 000005
【図４】
2010078308.tif 000006
【図５】
2010078308.tif 000007
【図６】
2010078308.tif 000008
【図７】
2010078308.tif 000009
【図８】
2010078308.tif 000010
【図９】
2010078308.tif 000011
【図１０】
2010078308.tif 000012